(57)【特許請求の範囲】
【請求項１】
装置設定処理をＳＹＳ＋機能という単位で分割表示した設定画面を設け（ステップ１）、
装置設定処理を行なう設定画面とプログラムは設定処理で共通に用いるようにし（ステップ２）、
ＳＹＳとＩＦの種類をカタログ化してＳＹＳ定義テーブルとして設け（ステップ３）、
前記設定画面の表示に従って、ＳＹＳ定義テーブルの情報である伝送装置の設定情報、ＩＦの設定情報、ＳＹＳの設定情報、パス回線の設定情報、地気アラームの設定情報を前記設定画面に表示しておき、座標入力手段で必要な情報をクリックしていくことにより構成要素を決定する（ステップ４）、
ことを特徴とする監視制御システムの構成設定方法。
【請求項２】
伝送装置の設定処理において、前記テーブルとしてＳＹＳ定義テーブルを用意し、設定画面にはＳＹＳ＋機能という単位で分割表示し、ＳＹＳはＳＹＳ実装画面で設定処理を行ない、機能はＩＦ盤単位にＩＦ実装一覧画面で登録処理を行なうことを特徴とする請求項１記載の監視制御システムの構成設定方法。
【請求項３】
ＳＹＳの設定処理において、ＳＹＳの設定範囲を前記ＳＹＳ定義テーブルに定義し、現状の装置でＳＹＳの数が一番大きいものを洗い出し、それがカバーできる数分とれるように設定画面を分割し、表示することを特徴とする請求項２記載の監視制御システムの構成設定方法。
【請求項４】
前記ＳＹＳの設定処理を行なうに際し、設定画面のウィンドウサイズは変更せずに、画面にマッピングするための情報をテーブルに設定し、設定画面に割り付けて表現することを特徴とする請求項３記載の監視制御システムの構成設定方法。
【請求項５】
ＩＦの設定処理において、既存の伝送装置のＩＦの情報と範囲をＩＦ種別定義テーブルとＩＦ定義テーブルに登録し、これらのテーブルより導かれるＩＦ種別選択画面から数値のみ入力することを特徴とする請求項２記載の監視制御システムの構成設定方法。
【請求項６】
ＩＦ種別選択画面よりスロット毎に選択して１枚ずつ設定画面に割り付ける操作を行なった場合に、プログラムでＩＦ種別定義テーブル、ＩＦ定義テーブルに定義された範囲分のスロットを設定画面に自動的に追加することを特徴とする請求項５記載の監視制御システムの構成設定方法。
【請求項７】
パス回線設定処理において、上位装置、下位装置、収容位置をそれぞれ設定した後、パス回線データベースに設定することを特徴とする請求項１記載の監視制御システムの構成設定方法。
【請求項８】
地気アラーム設定処理において、前記ＳＹＳ定義テーブルに収集装置と伝送装置をカタログとして持ち、先頭のポジションの配置を決めることにより、伝送装置から上がる警報数と内容を後でプログラムにより振り分けることを特徴とする請求項１記載の監視制御システムの構成設定方法。
【発明の詳細な説明】
【０００１】
【発明の属する技術分野】
本発明は監視制御システムの構成設定方法に関し、更に詳しくは伝送装置、パス回線、地気アラーム等の設定処理に関する。
【０００２】
最近の伝送装置の進歩、普及により、現状の監視制御システムでは対応できない状況に陥っている。その内容としては、
▲１▼伝送装置の新設は随時行なわれ、管理情報のメンテナンス負荷が増大してきている。
▲２▼詳細化とネットワークの拡大により、監視対象が急増し、大量データの高速処理が要求されてきている。
【０００３】
これらの要求に対し、既存の監視制御システムでは、データの入力量が多い、入力の共有化が行われていない、伝送設備が追加される度に開発している等、システムに限界がきており、これらの問題をクリアする新監視制御システムの開発が求められるようになってきている。
【０００４】
本発明では、監視制御システムの基本データとなっている装置、パス回線、地気アラームの設定処理について改善する方法を考えた結果、以下の点が重要と考えられる。
▲１▼新規伝送装置やアラームを設置する場合でも、テーブルの追加処理のみで対応できること。
▲２▼特別のシステム開発を行なわないで、現状のソフトプログラムを活用できること。
【０００５】
【従来の技術】
図１８は従来の装置設定処理の説明図である。ここでシス（ＳＹＳ）とはＩＦ盤を収容し、管理するためのユニットのことで、具体的には伝送装置を示す。シス実装設定を行なう場合、伝送装置毎に設定画面を持ち、設定画面で各種の設定を行なっている。伝送装置の構成は架と、その中に入っているＨＳ（高速側シス）、ＬＳ（低速側シス）と、ＨＳ、ＬＳの中に入っているＩＦ盤で構成されている。即ち、ＨＳとＬＳの中は複数のスロットで構成されており、それぞれのスロットにＩＦ盤（プリントボード）が装填されるようになっている。
【０００６】
装置設定は、各伝送装置毎に、架に入るＨＳ、ＬＳの箱と、各箱に入っているＩＦ盤の種類と収容位置を設定する必要がある。ＳＹＳの数と配置が各伝送装置の種類によって違っているので、それぞれの伝送装置毎に装置設定する設定画面を作成して、提供する必要があった。図１８の左側が伝送装置１、右側が設定画面３である。
【０００７】
ＩＦ実装設定の場合には、図１９に示すように、装置毎に設定画面を設けて設定する必要があった。また、装置設定の場合には、各伝送装置毎に、架に入るＨＳ、ＬＳの箱と、箱に入っているＩＦ種類と位置を設定する必要がある。
【０００８】
ＳＹＳの数と配置が各伝送装置の種類によって違っているので、それぞれの伝送装置毎に装置設定する画面を作成し、提供する必要があった。図の例では、伝送装置（ＳＹＳ）毎に、ＨＳとＬＳとＣＯＭ部（共通部）を設定する画面が表示され、ＣＯＭ部とＨＳとＬＳとを設定するための画面となる。設定画面に表示されるのは、ＩＦＮＯとハイウェイＮＯと、ＩＦ種別と１系か０系の識別情報である。
【０００９】
図２０は従来のパス回線設定処理の説明図である。各伝送装置間にパス回線が張られている場合、２つの伝送装置のＩＦ種別間をパス回線として定義する。伝送装置の種類とＩＦ種類とハイウェイ（ＨＷ）数によって、伝送装置間で張るパス回線には、２．４Ｇセクション、１５０Ｍジャンパ、５０Ｍジャンパ等、伝送速度やＩＦ種類毎に制限事項があるため、パス回線種別と、伝送装置に接続する情報を設定する場合、パス回線種別毎にパス回線設定画面を作成し、提供する必要があった。
【００１０】
図２１は従来の地気アラーム設定処理の説明図である。伝送装置から上がるアラームには、地気コード（テリトリ、局、ワード、ビット）によるものと、ＣＡＰ−ＮＥＴコード（地気端子名、装置種別、架ＮＯ、種別、伝送速度、ＳＹＳ、ＩＦ上、ＩＦ下、ＨＧ／ＣＨ、ＡＬＭ種別）によるものの２通りがある。地気コード、ＣＡＰ−ＮＥＴコードどちらでアラームが発生するか、設定範囲についても伝送装置の種類によって異なる。
▲１▼上がってくるアラームが地気コードの場合に、地気コードを日本語に変換するための情報や、ポジションの範囲や、伝送装置の定義等が必要である。これは、各伝送装置毎に行なう必要がある。
▲２▼ＣＡＰ−ＮＥＴコードの場合は、項目毎にコード名称に変換するテーブルのみ設定すればよく、伝送装置から上がった警報がすぐ分かる等の利点がある。
【００１１】
そのため、地気コードで上がるアラームは、ＣＡＰ−ＮＥＴコードに変換して監視する方が便利であるので、既存のシステムでは地気アラームをＣＡＰ−ＮＥＴコードに変換するためのテーブルを画面より１ビット毎に設定している。図２１に示す例は、地気コードをＣＡＰ−ＮＥＴコードコードに変換している様子を示す。
【００１２】
【発明が解決しようとする課題】
従来のシステムでは、以下のような問題点が発生する。
（装置設定処理時）
装置を設定する場合に誤った設定であると、回線の切断が発生するため、正しい設定値のみの入力が可能とするチェックを行なっている。しかしながら、伝送装置毎に設定値が異なっているため、プログラムも個別の定義となる。そのため、伝送装置の増設の際は、
▲１▼新規設定画面が必要となる。
▲２▼プログラムの追加が必要である。
等の工数、作成期間の増大の問題が発生する。
【００１３】
（パス回線設定処理時）
設定する場合に誤った設定を行なうと、回線の切断が発生するため、実際に存在するパターンのみの入力を可能とするチェックを行なっている。しかしながら、回線毎に設定値が異なっており、プログラム個別の定義となっている。そのため、伝送装置の増設の際は、
▲１▼新規設定画面が必要となる。
▲２▼プログラムの追加が必要である。
等、工数、作成期間の増大の問題が発生する。
【００１４】
（地気アラーム設定処理）
地気アラームを、ＣＡＰ−ＮＥＴコードに変換するためのテーブルは、オペレータが１ビット毎に手入力で作成しているため、大量のデータを扱う場合には、かなりの量の設定をする必要があり、期間や工数がかかってしまう。
【００１５】
本発明はこのような課題に鑑みてなされたものであって、装置の増設、パス回線の設定、地気アラームの設定等を効率よく行なうことができる監視制御システムの構成設定方法を提供することを目的としている。
【００１６】
【課題を解決するための手段】
（１）図１は本発明方法の原理を示すフローチャートである。本発明は、各伝送装置毎に架に入る高速側ＳＹＳ、低速側ＳＹＳの箱と、各箱に入っているＩＦ盤の種類を設定するための装置設定処理をＳＹＳ＋機能という単位で分割表示した設定画面を設け（ステップ１）、  装置設定処理を行なう設定画面とプログラムは設定処理で共通とし（ステップ２）、ＳＹＳとＩＦの種類をカタログ化してＳＹＳ定義テーブルとして設け（ステップ３）、前記設定画面の表示に従って、ＳＹＳ定義テーブルの情報である伝送装置の設定情報、ＩＦの設定情報、ＳＹＳの設定情報、パス回線の設定情報、地気アラームの設定情報を前記設定画面に表示しておき、座標入力手段で必要な情報を選択することにより構成要素を決定する（ステップ４）、ことを特徴としている。
【００１７】
この発明の構成によれば、前記ＳＹＳ定義テーブルに装置構成の設定を行なうために必要な情報を全て格納しておき、設定処理を行なう画面とプログラムは共通とし、テーブルに格納されている構成要素を設定画面に呼び出し、オペレータが構成要素を選択することにより、装置の増設、パス回線の設定、地気アラームの設定等を効率よく行なうことができる。
【００１８】
この場合において、伝送装置の設定処理において、前記ＳＹＳ定義テーブルを用意し、設定画面にはＳＹＳ＋機能という単位で分割表示し、ＳＹＳはＳＹＳ実装画面で設定処理を行ない、機能はＩＦ盤単位にＩＦ実装一覧画面で登録処理を行なうことを特徴としている。
【００１９】
この発明の構成によれば、伝送装置の設定処理をＳＹＳ＋機能という単位で分割表示することで、装置設定を効率的に行なうことができる。また、設定処理を行なう設定画面とプログラムは共通とし、ＳＹＳ、ＩＦの種類が装置毎に異なる点に鑑み、これらを前記テーブルにカタログ化しておくことにより、伝送装置の追加に適応することができる。
【００２０】
（３）また、ＳＹＳの設定処理において、ＳＹＳの設定範囲を前記ＳＹＳ定義テーブルに定義し、現状の装置でＳＹＳの数が一番大きいものを洗い出し、それがカバーできる数分とれるように設定画面を分割し、表示することを特徴としている。
【００２１】
この発明の構成によれば、現状の全ての装置のＳＹＳ設定に対応することができる。
（４）また、前記ＳＹＳの設定処理を行なうに際し、設定画面のウィンドウサイズは変更せずに、画面にマッピングするための情報をテーブルに設定し、設定画面に割り付けて表現することを特徴としている。
【００２２】
この発明の構成によれば、画面のウィンドウサイズが固定であるため、設定画面へのマッピング情報の割り付けを効率的に行なうことができる。
（５）また、ＩＦの設定処理において、既存の伝送装置のＩＦの情報と範囲をＩＦ種別定義テーブルとＩＦ定義テーブルに登録し、これらのテーブルより導かれるＩＦ種別選択画面から数値のみ入力することを特徴としている。
【００２３】
この発明の構成によれば、入力値のチェックを共通化することができる。
（６）また、ＩＦ種別選択画面よりスロット毎に選択して１枚ずつ設定画面に割り付ける操作を行なった場合に、プログラムでＩＦ種別定義テーブル、ＩＦ定義テーブルに定義された範囲分のスロットを設定画面に自動的に追加することを特徴としている。
【００２４】
この発明の構成によれば、テーブルに定義された範囲分のスロットを設定画面に自動追加することができる。
（７）また、パス回線設定処理において、上位装置、下位装置、収容位置をそれぞれ設定した後、パス回線データベースに設定することを特徴としている。
【００２５】
この発明の構成によれば、伝送装置の追加に対応することができる。
（８）更に、地気アラーム設定処理において、前記ＳＹＳ定義テーブルに収集装置と伝送装置をカタログとして持ち、架ＮＯを設定し、収集装置を選択し、前記カタログ分連続して空いているポジションを見つけ、空いているポジションが見つかれば、その先頭のポジションの配置を決めることにより、伝送装置から上がる警報数と内容を後でプログラムにより振り分けることを特徴としている。
【００２６】
この発明の構成によれば、１ビット単位に登録する必要がなくなるので、地気アラームの登録処理に要する時間を短縮することができる。
【００２７】
【発明の実施の形態】
以下、図面を参照して本発明の実施の形態例を詳細に説明する。
図２は装置設定処理動作の説明図である。図において、１は伝送装置で、図では＃１〜＃３までを示す。それぞれの装置の構成は図に示すように異なっているものとする。２はシステムに関するカタログを格納するＳＹＳ定義テーブル、３は設定画面である。装置１において、ＣＯＭ部は、装置に共通に用いられるユニットで、例えば電源ユニット等より構成される。ＨＳは高速側ＳＹＳ、ＬＳは低速側ＳＹＳである。
【００２８】
従来、各伝送装置毎に行なっていた装置設定処理を、ＳＹＳ（ユニット）＋機能（ＨＳ、ＬＳ、ＤＲＯＰ、ＬＩＮＥ）という単位で分割表示する。ここで、ＤＲＯＰは同期単極装置の加入者側を示し、ＬＩＮＥは同期単極装置の回線側を示す。ＳＹＳ（ユニット）は、ＳＹＳ実装画面３で設定処理を行ない、機能はＩＦ盤単位にＩＦ実装一覧画面で１枚、１枚登録する。設定処理を行なう設定画面３とプログラムは共通とし、ＳＹＳ、ＩＦの種類が装置毎に異なるので、これをカタログ化すれば、どのような装置にも対応できる。そこで、これらをテーブルに持ち、オペレータが設定画面３上で設定内容を変えることで伝送装置の追加に適応できるようになる。なお、設定画面における破線で示す矩形は共通化フォーマットを示しており、複数表示されるようになっている。そして、具体的には、ＳＹＳ定義テーブルの情報を設定画面３上に表示しておき、オペレータがマウス等の座標入力手段で必要なものをクリックしていくことにより、構成要素が決定されていく。
【００２９】
この実施の形態例によれば、伝送装置の設定処理をＳＹＳ＋機能という単位で分割表示することで、装置設定を効率的に行なうことができる。また、設定処理を行なう設定画面とプログラムは共通とし、ＳＹＳ、ＩＦの種類が装置毎に異なる点に鑑み、これらを前記テーブルにカタログ化しておくことにより、伝送装置の追加に適応することができる。
【００３０】
次に、ＳＹＳの設定処理について説明する。入力値のチェックを共通化するため、ＳＹＳの設定範囲をＳＹＳ定義テーブル２に定義し、プログラムはそのテーブル（カタログ）の範囲内の数値を有効とするように変更する。また、ＳＹＳの実装数が各伝送装置により異なるため、現状の装置でＳＹＳの数が一番大きいものを洗い出し、それがカバーできる数分とれるように設定画面３を分割し、表示する。その場合、画面のウィンドウサイズは変更せずに、画面にマッピングするための情報をＳＹＳ定義テーブル（カタログ）２に設定し、設定画面に割り付けて表現する。
【００３１】
上述の実施の形態例によれば、現状の全ての装置のＳＹＳ設定に対応することができ、また画面のウィンドウサイズが固定であるため、設定画面のマッピング情報の割り付けを効率的に行なうことができる。
【００３２】
次に、ＩＦ盤の設定処理について説明する。図３はＩＦ盤実装設定の説明図である。図２と同一のものは、同一符号を付して示す。入力値のチェックを共通化するためには、既存の伝送装置のＩＦの情報や範囲をＩＦ種別定義テーブル、ＩＦ定義テーブル２ａに作成し、それらのテーブル（カタログ）より導かれるＩＦ種別選択メニュー４よりスロット（ユニット挿入口）毎に選択して、１枚ずつ設定画面に割り付ける操作を行なった場合に、プログラムでＩＦ種別定義テーブル、ＩＦ定義テーブル（カタログ）に定義された範囲分のスロットを、設定画面３に自動的に追加することで対応する。３ａは共通化設定フォーマットで、ＩＦＮＯと、ＨＷＮＯと、ＩＦ種別と、系（０／１）より構成されている。
【００３３】
この実施の形態例によれば、入力値のチェックを共通化することができる。また、テーブルに定義された範囲分のスロットを設定画面に自動追加することができる。
【００３４】
図４はパス回線設定処理の説明図である。図２と同一のものは、同一の符号を付して示す。パス回線設定画面より装置に接続する回線を設定し、完了した場合、伝送装置に対して設定した内容で制御をかける。回線を張る手順は変わらないが、設定処理を行なう画面とプログラムは共通とし、以下のカタログの内容を変えることで、伝送装置の追加に適応できる。
▲１▼一つのパス回線種別が、伝送装置のどこ（装置種別、ＩＦ種別、機能判定）とどこにつながっているか判別する。
▲２▼一つのパス回線種別の収容位置（ＨＳ、ＬＳ）を認識する。
【００３５】
実際にはパス回線カタログ情報２ｂを参照してパス回線設定画面の共通化フォーマットを作成する。
この実施の形態例によれば、伝送装置の追加に対応することができる。
【００３６】
図５は地気アラーム設定処理の説明図である。地気アラームは、コードで上がってくる場合とＣＡＰ−ＮＥＴコードで上がってくる場合がある。そこで、収集装置のポジションから上がってくるビットコードを受けて、自動処理プログラム５で、ビットデータをＣＡＰ−ＮＥＴコードに変換するものである。
【００３７】
先ず、伝送装置のカタログを設定し（▲１▼）、伝送装置から上がる警報数分連続して空いている収集装置のポジションを見つけ（▲２▼）、先頭のポジションに伝送装置のカタログの先頭を割り当て、以降自動的に収集装置のポジションと伝送装置のカタログを対応づけ、ＣＡＰ−ＮＥＴコードを作成する（▲３▼）。
【００３８】
この場合において、収集装置に収容できるポジション数は、収集装置の種類によって決まる。伝送装置から上がる警報数＋内容は、伝送装置種別毎に決まっているので、収集装置と伝送装置をカタログとして持ち、先頭のポジションの配置を決めれば、後は自動処理プログラム５で割り振ることができ、１ビット単位に登録する必要がなくなるため、設定量は少なくてすむ。
【００３９】
この実施の形態例によれば、地気アラームの登録処理に要する時間を短縮することができる。
図６〜図８はＳＹＳ実装画面での装置設定処理の説明図、図９は処理フローチャートである。設定値の入力可能チェックを共通化するため、ＳＹＳの設定範囲（装置種別毎の機能判定とＳＹＳＮＯと０／１区分ごとの定義）をＳＹＳ定義テーブル２に設定する（▲１▼）。
【００４０】
ここで、ＳＹＳの実装数が各伝送装置により異なるため、現状の装置でＳＹＳの数が一番大きい装置を洗い出し、それがカバーできる数分とれるようにＳＹＳ実装画面を分割して表示する。分割した個々のパネルの描画開始位置をＳＹＳ表示フィールドＮＯ定義テーブル２ｃに設定する（▲２▼）。一方、描画情報はＳＹＳ表示パネル定義テーブル２ｄに設定する。
【００４１】
次に、ＳＹＳ実装画面の画面表示を行なう処理について説明する（図７参照）。３ｂはＳＹＳ定義画面で、１〜２４まで定義できるようになっている。ＳＹＳ定義テーブル（カタログ）２で予め決めた表示フィールドＮＯの描画開始位置からＳＹＳ定義テーブル２で設定した表示コードをそのまま表示する（▲３▼）。表示する場合には、パネルのウィンドウサイズは変更しない。
【００４２】
例えば、ＳＹＳ定義テーブル２の表示パネルコードが２の場合には、分割したパネルのうち２つを連続して使用して、カタログで設定した表示コードを、カタログで設定した表示フィールドＮＯの描画開始位置からそのまま表示する。同様に、表示パネルコードが４の場合には、表示フィールドＮＯの描画開始位置よりパネルを４枚使用して表示コードを表示する。
【００４３】
一つの装置種別において定義されているＳＹＳ定義テーブル（カタログ）分の画面表示を行なう。なお、結果として未使用となる点線部分の表示は行なわない。そして、画面表示されたＨＳ、ＬＳをマウスでクリックアンドドラッグしてＩＦ実装一覧表示画面３ｅに移行する。
【００４４】
図８は、装置設定処理の実施例で、各伝送装置のＳＹＳ実装画面例を示している。左がＳＹＳ（伝送装置）の実装状態、右側が上記より導かれるＳＹＳ実装画面３ｂである。このように、伝送装置の構成に変化があっても、パネルの割り付け方法が変わるだけで、画面フォーマットは変更なしで対応することができる。
【００４５】
次に、図９のフローチャートについて説明する。先ず設定画面にカタログの表示コードの表示を行ない（Ｓ１）、カタログ設定分全て表示したかどうかチェックし（Ｓ２）、全て表示していない場合にはステップＳ１に戻り、全て表示した場合にはＩＦ実装一覧画面に移行する（Ｓ３）。
【００４６】
この実施の形態例によれば、現状の全ての装置のＳＹＳ設定に対応することができる。また、画面のウィンドウサイズが固定であるため、設定画面へのマッピング情報の割り付けを効率的に行なうことができる。
【００４７】
図１０はＩＦ実装一覧画面での装置設定処理の説明図である。図において、２ｅはＩＦ種別定義テーブル、２ｆはＳＹＳ実装テーブル、２ｇはＩＦ定義テーブル、３ｅはＩＦ実装一覧表示画面、６はＩＦ種別選択メニューである。入力値のチェックを共通化するため、ＩＦ種別定義テーブル２ｄにＩＦ種別情報（機能判定、ＩＦ種別コード、ＩＦ種別範囲を設定し、ＩＦ定義テーブル２ｇにＩＦ読み出し単位や）やＨＷＮＯの範囲等を設定する。
【００４８】
０／１例の有り無しによって、ＩＦ盤の実装数が異なるので、ＳＹＳ定義テーブル２に０系、１系の区分を設定する。ＩＦ種別定義テーブル２ｅに定義したＩＦ種別コードを、ＩＦ種別選択メニューに選択できるメニュー項目として定義する。
【００４９】
次に、ＩＦ実装一覧表示画面を行なう処理を以下に述べる。
▲１▼画面のＩＦ種別は、前記ＩＦ種別選択メニュー６より１スロット単位に種別を選択し、ＩＦ実装一覧表示画面３ｅのＩＦ種別部分をクリックする。ここで、容量的に収容不可である場合には「＊」を表示する。
【００５０】
画面のＩＦＮＯは、ＩＦ種別定義テーブル２ｅより選択したＩＦ種別を見つけ、そこに定義したＩＦＮＯの範囲をプログラムで追加し表示する。また、画面のＨＷＮＯは、ＩＦ定義テーブル２ｇに記載したＨＷＮＯのうち、搭載可能な最小のＩＦ盤に合わせてプログラムで追加し、表示する。容量的に収容不可である場合には「−」を表示する。
【００５１】
例えば、ＦＴＭ−６００Ｍ−ＬＴＭ（伝送装置の名前）  ＬＳ部の場合では、最小のＨＷＮＯの範囲は、５０ＭＩＦの１〜３であるので、画面のＨＷＮＯは１〜３を表示する。また、画面の系は、前記ＳＹＳ定義テーブル２の０系／１系区分がある場合には、０系１系とも表示する。ＩＦＮＯ、ＨＷＮＯ、ＩＦ種別も両系分表示する。「なし」の場合の系は「−」を表示する。ＩＦＮＯ、ＨＷＮＯ、ＩＦ種別は片系のみ表示する。表示した内容は、ＩＦ実装ＤＢ（データベース）４に設定値として格納する。
【００５２】
図１１は、各伝送装置のＩＦ実装一覧表示画面を示す。左がカタログの設定方法であり、右側がカタログから導かれるＩＦ実装一覧表示画面３ｅである。このように伝送装置の構成に変更があっても、割り付け方法が変わるだけで、画面フォーマットは変更無しで対応することができる。
【００５３】
図１２はＩＦ実装画面での装置設定処理を示すフローチャートである。先ず、画面にＩＦ種別を表示し（Ｓ１）、ＩＦＮＯを表示する（Ｓ２）。次にＨＷＮＯを表示し（Ｓ３）、系を表示する（Ｓ４）。最後にＩＦ実装ＤＢに設定する（Ｓ５）。
【００５４】
この実施の形態例によれば、テーブルに定義された範囲分のスロットを設定画面に自動追加することができる。
図１３、図１４はパス回線設定処理の説明図、図１５はパス回線設定処理の動作を示すフローチャートである。一つのパス回線種別が、伝送装置のどことどこにつながっているか、装置−パス関連定義テーブル２ｈに設定する。収容関係にあるパス回線種別の収容位置（ＨＳ，ＬＳ）は、パス回線定義テーブル２ｉに設定する。
【００５５】
装置−パス関連定義テーブル２ｈのカタログ部分に、一つのパス回線種別コードやその上位のパスのパス回線種別コードを設定する。また、一つのパス回線種別が、どこの伝送装置とどこの伝送装置につながっているか、同テーブルの始端装置と終端装置に定義する。
【００５６】
両端の伝送装置の詳細な設定は、ＩＦ種別定義テーブル２ｅに設定する。ここでは、２つの装置ＸＣＭ−１ＭとＴＣＭ−１間にパスを張る場合を示している。また、収容関係にあるパス回線種別の収容範囲数を、パス回線定義テーブル２ｉに設定する。上述した処理を一つのパス回線種別に接続する伝送装置の数だけ繰り返す。
【００５７】
次に、図１４を用いてパス回線設定画面３ｄの画面表示を行なう処理を以下に述べる。始端装置になり得る装置を、ＩＦ実装ＤＢ７を検索してＩＦ実装一覧にて設定した装置の中からＩＦ種別定義テーブル２ｅで制限された範囲で検索し、画面の上位局装置に表示し、設定する。次に、終端装置になり得る装置を、ＩＦ実装一覧にて設定した装置の中からＩＦ種別定義テーブル２ｅで制限された範囲で検索し、画面３ｄの下位局装置に表示し、設定する。
【００５８】
次に、画面より収容位置を入力する。パス回線定義テーブル２ｉで定義された範囲のみ入力可能である。そして、上位装置、下位装置、収容位置が入力できたら、パス回線ＤＢ（データベース）８に設定する。
【００５９】
次に、図１５の動作フローチャートについて説明する。先ず始端装置を検索し、上位局に表示し、設定する（Ｓ１）。次に終端装置を検索し、下位局装置に表示し、設定する（Ｓ２）。次に、これら装置の収容位置を設定し（Ｓ３）、パス回線ＤＢ８に設定する。
【００６０】
この実施の形態例によれば、パス回線設定により、伝送装置の追加に対応することができる。
次に、ＣＡＰ−ＮＥＴコードの自動割り付け処理について説明する。図１６はＣＡＰ−ＮＥＴコード自動割り付け処理の説明図、図１７はＣＡＰ−ＮＥＴコード自動割り付け動作を示すフローチャートである。伝送装置の地気端子名に対して、伝送速度、ＳＹＳ、ＩＦ、ＨＧ／ＣＨ、アラーム種別をカタログに設定する。
【００６１】
伝送装置から上がる警報を収集装置につなぐ場合、警報一つ一つに対してＣＡＰ−ＮＥＴコードを割り振る。ここで、ＣＡＰ−ＮＥＴコードを割り振るにあたり、地気端子名が分かればカタログより伝送速度、ＳＹＳ、ＩＦ、ＨＧ／ＣＨ、アラーム種別が分かる。但し、架ＮＯとポジションはこの段階では決定できない。
【００６２】
従って、画面３ｅでは、架ＮＯを設定し、収集装置を選択し、前記カタログ分連続して空いているポジションを見つけることが必要である。空いているポジションが見つかれば、その先頭のポジションにカタログの先頭を割り当て、以降は自動処理プログラム５で相対的にポジションと伝送装置のカタログを対応づけ、ＣＡＰ−ＮＥＴコードとすることができる。
【００６３】
図１７について説明すれば、先ず架ＮＯの設定と収集装置の選択を行ない（Ｓ１）、ポジションを獲得する（Ｓ２）。次に、地気端子分連続して空いているかどうかチェックし（Ｓ３）、空いている場合には獲得したポジションに伝送装置のカタログの先頭を割り当てる（Ｓ４）。空いていない場合には、ステップＳ２に戻りポジションの獲得を行なう。次に、ＣＡＰ−ＮＥＴコードを作成し（Ｓ５）、全警報分行なったかどうかチェックし（Ｓ６）、行なった場合には処理を終了する。全ての処理が終了していない場合には、ステップＳ５に戻り、ＣＡＰ−ＮＥＴコードの作成を行なう。
【００６４】
このようにして、この実施の形態例によれば、地気アラームの登録処理に要する時間を短縮することができる。
【００６５】
【発明の効果】
以上、詳細に説明したように、本発明によれば、
（１）各伝送装置毎に架に入る高速側ＳＹＳ、低速側ＳＹＳの箱と、各箱に入っているＩＦ盤の種類を設定するための装置設定処理をＳＹＳ＋機能という単位で分割表示した設定画面を設け（ステップ１）、  装置設定処理を行なう設定画面とプログラムは設定処理で共通とし（ステップ２）、ＳＹＳとＩＦの種類をカタログ化してＳＹＳ定義テーブルとして設け（ステップ３）、前記設定画面の表示に従って、ＳＹＳ定義テーブルの情報である伝送装置の設定情報、ＩＦの設定情報、ＳＹＳの設定情報、パス回線の設定情報、地気アラームの設定情報を前記設定画面に表示しておき、座標入力手段で必要な情報を選択することにより構成要素を決定する（ステップ４）、ことにより、
前記ＳＹＳ定義テーブルに装置構成の設定を行なうために必要な情報を全て格納しておき、設定処理を行なう画面とプログラムは共通とし、ＳＹＳ定義テーブルに格納されている構成要素を設定画面に呼び出し、オペレータが構成要素を選択し、装置の増設、パス回線の設定、地気アラームの設定等を効率よく行なうことができる。
【００６６】
（２）この場合において、伝送装置の設定処理において、前記ＳＹＳ定義テーブルを用意し、設定画面にはＳＹＳ＋機能という単位で分割表示し、ＳＹＳはＳＹＳ実装画面で設定処理を行ない、機能はＩＦ盤単位にＩＦ実装一覧画面で登録処理を行なうことにより、
伝送装置の設定処理をＳＹＳ＋機能という単位で分割表示することで、装置設定を効率的に行なうことができる。また、設定処理を行なう設定画面とプログラムは共通とし、ＳＹＳ、ＩＦの種類が装置毎に異なる点に鑑み、これらを前記テーブルにカタログ化しておき、伝送装置の追加に適応することができる。
【００６７】
（３）また、ＳＹＳの設定処理において、ＳＹＳの設定範囲を前記ＳＹＳ定義テーブルに定義し、現状の装置でＳＹＳの数が一番大きいものを洗い出し、それがカバーできる数分とれるように設定画面を分割し、表示することにより、
現状の全ての装置のＳＹＳ設定に対応することができる。
【００６８】
（４）また、前記ＳＹＳの設定処理を行なうに際し、設定画面のウィンドウサイズは変更せずに、画面にマッピングするための情報をテーブルに設定し、設定画面に割り付けて表現することにより、
画面のウィンドウサイズが固定であるため、設定画面へのマッピング情報の割り付けを効率的に行なうことができる。
【００６９】
（５）また、ＩＦの設定処理において、既存の伝送装置のＩＦの情報と範囲をＩＦ種別定義テーブルとＩＦ定義テーブルに登録し、これらのテーブルより導かれるＩＦ種別選択画面から数値のみ入力することにより、
入力値のチェックを共通化することができる。
【００７０】
（６）また、ＩＦ種別選択画面よりスロット毎に選択して１枚ずつ設定画面に割り付ける操作を行なった場合に、プログラムでＩＦ種別定義テーブル、ＩＦ定義テーブルに定義された範囲分のスロットを設定画面に自動的に追加することにより、
テーブルに定義された範囲分のスロットを設定画面に自動追加することができる。
【００７１】
（７）また、パス回線設定処理において、上位装置、下位装置、収容位置をそれぞれ設定した後、パス回線データベースに設定することにより、伝送装置の追加に対応することができる。
【００７２】
（８）更に、地気アラーム設定処理において、前記ＳＹＳ定義テーブルに収集装置と伝送装置をカタログとして持ち、架ＮＯを設定し、収集装置を選択し、前記カタログ分連続して空いているポジションを見つけ、空いているポジションが見つかれば、その先頭のポジションの配置を決めることにより、伝送装置から上がる警報数と内容を後でプログラムにより振り分けることにより、
１ビット単位に登録する必要がなくなるので、地気アラームの登録処理に要する時間を短縮することができる。
【００７３】
このように、本発明によれば、装置の増設、パス回線の設定、地気アラームの設定等を効率よく行なうことができる監視制御システムの構成設定方法を提供することができる。
【図面の簡単な説明】
【図１】本発明方法の原理を示すフローチャートである。
【図２】装置設定処理動作の説明図である。
【図３】ＩＦ実装設定の説明図である。
【図４】パス回線設定処理の説明図である。
【図５】地気アラーム設定処理の説明図である。
【図６】シス実装画面での装置設定処理の説明図である。
【図７】システム実装画面での装置設定処理の説明図である。
【図８】シス設定画面での装置設定処理の説明図である。
【図９】シス設定画面での装置設定処理を示すフローチャートである。
【図１０】ＩＦ実装一覧画面での装置設定処理の説明図である。
【図１１】ＩＦ実装画面での装置設定処理の説明図である。
【図１２】ＩＦ実装一覧画面での装置設定処理を示すフローチャートである。
【図１３】パス回線設定処理の説明図である。
【図１４】パスの回線設定処理の説明図である。
【図１５】パス回線設定処理の動作を示すフローチャートである。
【図１６】ＣＡＰ−ＮＥＴコード自動割り付け処理の説明図である。
【図１７】ＣＡＰ−ＮＥＴコード自動割り付け動作を示すフローチャートである。
【図１８】従来の装置設定処理の説明図である。
【図１９】従来の装置設定処理の説明図である。
【図２０】従来のパス回線設定処理の説明図である。
【図２１】従来の地気アラーム設定処理の説明図である。
【符号の説明】
１  伝送装置
２  シス定義テーブル
３  設定画面
【図１】
0003751725.tif 000002
【図２】
0003751725.tif 000003
【図３】
0003751725.tif 000004
【図４】
0003751725.tif 000005
【図５】
0003751725.tif 000006
【図６】
0003751725.tif 000007
【図７】
0003751725.tif 000008
【図８】
0003751725.tif 000009
【図９】
0003751725.tif 000010
【図１０】
0003751725.tif 000011
【図１１】
0003751725.tif 000012
【図１２】
0003751725.tif 000013
【図１３】
0003751725.tif 000014
【図１４】
0003751725.tif 000015
【図１５】
0003751725.tif 000016
【図１６】
0003751725.tif 000017
【図１７】
0003751725.tif 000018
【図１８】
0003751725.tif 000019
【図１９】
0003751725.tif 000020
【図２０】
0003751725.tif 000021
【図２１】
0003751725.tif 000022